(57)【要約】【課題】簡易な構造を有し、別途取っ手を設けることなく、随時提げて持ち運びできる折り畳み式収納ボックスを提供する。【解決手段】繊維を織った布材などの軟性の材質によってなり、底面と該底面を囲み形成される側壁を具え、上面に開口面を有する収納空間を構成する本体と、該本体の上端縁部に設ける上フレームと、一方の端縁部を連結端とし、他方の端縁部を自由端とし、該自由端が該本体の内側、もしくは外側に自在に回動するように該連結端を該該本体の上端縁部に連結し、かつ該連結端から該自由端に至る長さが該本体に形成される収納空間の深さと同等か、もしくはやや長い支持フレームと、該本体内に形成される収納空間の底面に設ける底板と、を含み構成される。【選択図】図１
0003125141.tif 000002
【実用新案登録請求の範囲】
【請求項１】
繊維を織った布材などの軟性の材質によってなり、底面と該底面を囲み形成される側壁を具え、上面に開口面を有する収納空間を構成する本体と、
該本体の上端縁部に設ける上フレームと、
一方の端縁部を連結端とし、他方の端縁部を自由端とし、該自由端が該本体の内側、もしくは外側に自在に回動するように該連結端を該該本体の上端縁部に連結し、かつ該連結端から該自由端に至る長さが該本体に形成される収納空間の深さと同等か、もしくはやや長い支持フレームと、
該本体内に形成される収納空間の底面に設ける底板と、を含み構成されることを特徴とする折り畳み式収納ボックス。
【請求項２】
前記底板の両端縁部の該支持フレームに対応する位置を切り欠いて、幅が該支持フレームの自由端の幅と同等の凹状部を形成することを特徴とする請求項１に記載の折り畳み式収納ボックス。
【請求項３】
前記支持フレームの連結端と、該上フレームとを被覆材で被覆し、該被覆材を該本体に縫合して該支持フレームを該本体に回動自在に連結することを特徴とする請求項１に記載の折り畳み式収納ボックス。
【請求項４】
前記支持フレームと該上フレームとを管材に挿通させ、さらに被覆材で該管材を被覆して、該被覆材を該本体に縫合することによって該支持フレームを該本体に回動自在に連結することを特徴とする請求項１に記載の折り畳み式収納ボックス。
【請求項５】
前記本体の下端縁部に下フレームを設けることを特徴とする請求項１に記載の折り畳み式収納ボックス。
【考案の詳細な説明】
【技術分野】
【０００１】
この考案は折畳んで体積を収縮することのできる収納ボックスに関する。
【背景技術】
【０００２】
折畳んで体積を収縮できる収納ボックスは、目下多数の構造が開発されている。例えば、軟質の布材で方形の容器を形成し、フレームを設けた構造のものがある。即ち、該方形容器の上端の四辺に上水平桿をそれぞれ設け、かつ底面の対向する二辺に下水平桿を設ける。また該方形容器の四隅には垂直に縦桿を設けるとともに、隣り合う両上水平桿の端縁部の間、隣り合う両下水平桿の端縁の間、立て桿と上下水平桿の端縁部との間に適宜な間隔を置く。さらに、該方形容器の垂直の壁面には、それぞれ交錯する対角線に沿って折り線を形成する。
【０００３】
上述する構造による収納ボックスは、縦桿、上水平桿、下水平桿の支持によって物品を収納するボックスを形成し、かつボックスをひねると折畳んで平坦にすることができる。
【０００４】
但し、かかる収納ボックスは構造が複雑であるのみならず、提げて持ち運びできるようにするためには、該方形容器の側壁に別途取っ手を設けなければならない。よって、構造がさらに複雑になるのみならず、全体の外観の調和に影響を与える。
【考案の開示】
【考案が解決しようとする課題】
【０００５】
この考案は、簡易な構造を有する折畳み式収納ボックスを提供することを課題とする。
【０００６】
また、この考案は、別途取っ手を設けることなく、随時提げて持ち運びできる折り畳み式収納ボックスを提供することを課題とする。
【課題を解決するための手段】
【０００７】
そこで、本考案者は従来の技術における欠点に鑑み鋭意研究を重ねた結果、繊維を織った布材などの軟性の材質によってなり、底面と該底面を囲み形成される側壁を具え、上面に開口面を有する収納空間を構成する本体と、該本体の上端縁部に設ける上フレームと、一方の端縁部を連結端とし、他方の端縁部を自由端とし、該自由端が該本体の内側、もしくは外側に自在に回動するように該連結端を該該本体の上端縁部に連結し、かつ該連結端から該自由端に至る長さが該本体に形成される収納空間の深さと同等か、もしくはやや長い支持フレームと、該本体内に形成される収納空間の底面に設ける底板とを含み構成される折り畳み式の収納ボックスの構造によって課題を解決できる点に着眼して本考案を完成させた。
【０００８】
以下、この考案について詳述する。
請求項１に記載する折り畳み式収納ボックスは、繊維を織った布材などの軟性の材質によってなり、底面と該底面を囲み形成される側壁を具え、上面に開口面を有する収納空間を構成する本体と、該本体の上端縁部に設ける上フレームと、一方の端縁部を連結端とし、他方の端縁部を自由端と、自由端が該本体の内側、もしくは外側に自在に回動するように該連結端を該該本体の上端縁部に連結し、かつ該連結端から該自由端に至る長さが該本体に形成される収納空間の深さと同等か、もしくはやや長い支持フレームと、該本体内に形成される収納空間の底面に設ける底板と、を含み構成される。
【０００９】
請求項２に記載する折り畳み式収納ボックスは、請求項１における底板の両端縁部の該支持フレームに対応する位置を切り欠いて、幅が該支持フレームの自由端の幅と同等の凹状部を形成する。かかる底板の構造によって、該支持フレームを該本体の内側に回転させて該本体の側壁が立つように支持する場合、該支持フレームの自由端を該凹状部に嵌着させて、支持フレームを確実に位置決めすることができ、使用上さらに便利になる。
【００１０】
請求項３に記載する折り畳み式収納ボックスは、請求項１における支持フレームの連結端と、該上フレームとを被覆材で被覆し、該被覆材を該本体に縫合して該支持フレームを該本体に回動自在に連結する。かかる簡易な連結構造は、加工が容易で製造コストを抑制することができる。
【００１１】
請求項４に記載する折り畳み式収納ボックスは、請求項１における支持フレームと該上フレームとを管材に挿通させ、さらに被覆材で該管材を被覆して、該被覆材を該本体に縫合することによって該支持フレームを該本体に回動自在に連結する。かかる連結構造によれば、連結部の強度を高め、かつ該支持フレームの連結端が管体の内部空間に在って、該支持フレームを円滑に回動させることができる。
【００１２】
請求項５に記載する折り畳み式収納ボックスは、請求項１における本体の下端縁部に下フレームを設ける。かかる構造によって、該本体の側壁に対する支持力と、該本体自身の強度がさらに強まる。
【考案の効果】
【００１３】
この考案による折り畳み式収納ボックスは構造が簡易であるため、製造が容易で、かつ製造コストを低減させることができるという利点を有する。
【００１４】
また、従来の技術に見られるように別途取っ手を設ける必要がなく、随時提げて持ち運びできるため、取っ手を設けることによって発生する製造上の手間とコストを省くことができ、外観の調和に影響を与えることもなく、しかも使用上極めて便利である。
【考案を実施するための最良の形態】
【００１５】
この考案は、構造が簡易で、かつ随時提げて持ち運びできる便利な折り畳み式収納ボックスを提供するものであって、繊維を織った布材などの軟性の材質によってなり、底面と該底面を囲み形成される側壁を具え、上面に開口面を有する収納空間を構成する本体と、該本体の上端縁部に設ける上フレームと、一方の端縁部を連結端とし、他方の端縁部を自由端とし、該自由端が該本体の内側、もしくは外側に自在に回動するように該連結端を該該本体の上端縁部に連結し、かつ該連結端から該自由端に至る長さが該本体に形成される収納空間の深さと同等か、もしくはやや長い支持フレームと、該本体内に形成される収納空間の底面に設ける底板と、によって構成する。
かかる構成の折り畳み式収納ボックスの構造と特徴を詳述するために、具体的な実施例を挙げ、図示を参照にして以下に説明する。
【実施例】
【００１６】
図１、２に開示するように、この考案による折り畳み式収納ボックスは、立方体を構成する本体１と、本体１の底面に設ける底板３と、本体１の対向する両側面の上端にそれぞれ設ける支持フレーム２とを含み構成される。
【００１７】
本体１は繊維を織った布材などの軟性の材質によってなり、その形状は、立方体以外に円筒形、楕円の円筒形、もしくはその他形状であってもよい。但し、本体１は底面と、該底面を囲み形成される側壁を具えていなければならず。該底面と側壁で上面に開口面を有する収納空間を構成する。
【００１８】
本体１を支持して立った状態にし、かつ十分な強度を付与するためには、本体１の上端縁部に上フレーム１３を設け、かつ本体１の側壁底部を折り返して縫合し、突縁部１２を形成するか、もしくは本体１の下端縁部に上フレーム１３と同様の構造のしたフレーム（図示しない）を設ける。
【００１９】
支持フレーム２は、適宜な直径を有し、かつ剛性を有する金属桿を本体１の収納空間の開口面の形状に合せて折り曲げて形成する。本体１が立方体であれば、支持フレーム２は矩形に形成する。
また、支持フレーム２は、一方の端縁部を連結端とし、他方の端縁部を自由端とし、自由端が本体１の内側、もしくは外側に自在に回動するように該連結端を本体１の上端縁部に連結する。該連結端から自由端に至る長さは、本体１に形成される収納空間の深さと同等か、もしくはやや長くする。
【００２０】
本考案においては、本体１の対向する両側壁にそれぞれ支持フレーム２を回動自在に設けるが、この場合、図７Ａに開示するように支持フレーム２の連結端を上フレーム１３とともに被覆材１１で被覆し、被覆材１１を本体１に縫合することによって支持フレーム２を本体１の開口面の一端に回動自在に連結する。または、図７Ｂに開示するように管材２１に支持フレーム２の連結端と上フレーム１３を挿通させ、さらに被覆材１１で管材２１を被覆して、被覆材１１を本体１に縫合することによって支持フレーム２を本体１の開口面の一端に回動自在に連結してもよい。
【００２１】
底板３を本体１に設ける場合は、底板３を本体１の布材の繊維体で被覆し、該布材を縫合して本体１に固定させる。または、本体１の収納空間底面に底板３を直接設けてもよい。また、底板３は図４に開示するように、両端縁部の支持フレーム２に対応する位置をそれぞれ切り欠いて凹状部３１を形成する。凹状部３１の幅は、支持フレーム２の自由端の幅と同等にする。よって、支持フレーム２を本体１の内壁に接触させると、支持フレーム２の自由端が底板３の凹状部３１に嵌着して位置決めされる。
【００２２】
上述する構造による収納ボックスは、支持フレーム２を本体１の内側に回転させて内壁に接触させ、かつ支持フレーム２の自由端を底板３の凹状部に嵌着させると、支持フレーム２の長さが本体１に形成される収納空間の深さと同等か、もしくはやや長く形成されるため、本体１の側壁が立った状態になり立方体を形成する。
【００２３】
また、図５に開示するように、支持フレーム２を本体１の外側に回転させて外壁に接触させ、かつ支持フレーム２の自由端を底板３の凹状部に嵌着させて、本体１の側壁を立った状態にして立方体を形成してもよい。
【００２４】
さらに、支持フレーム２は、図３に開示するように上方に回転させて、取っ手として使用することができる。
【００２５】
この考案による収納ボックスを収納する場合は、図６に開示するように支持フレーム２を回転させて、自由端を底板３から離すと、本体１が軟性の布材によってなるため、側壁を折畳むことができるようになる。
【００２６】
図８に、他の実施形態を開示する。図示するように、本体１は内部の収納空間が浅く、全体的にやや平たい立方体にしてもよく、さらに、本体１の上端縁で、長手方向の一方の端縁部に蓋体を開閉自在に設ける。本体１の対向する両側壁には、前記の実施形態と同様に支持フレーム２を回動自在に設けて、軟質の布材によってなる本体１を支持する。
【００２７】
以上はこの考案の好ましい実施例であって、この考案の実施の範囲を限定するものではない。よって、当業者のなし得る修正、もしくは変更であって、この考案の精神に基づいてなされ、かつこの考案に対して均等の効果を有するものは、いずれもこの考案の実用新案登録請求の範囲に属するものとする。
【図面の簡単な説明】
【００２８】
【図１】この考案の収納ボックス実施例を示した立体分解図である。
【図２】図１に開示する収納ボックスを示した断面図である。
【図３】図１に開示する収納ボックスの支持フレームを上方に動かした場合を示した断面図である。
【図４】この考案の収納ボックスの底板の両側に凹状部を形成した場合を示した斜視図である。
【図５】この考案の収納ボックスの支持フレームを外側に回転した状態を示した断面図である。
【図６】この考案の収納ボックスを折り畳んだ状態を示した断面図である。
【図７Ａ】図２のＡの領域を示した部分拡大図である。
【図７Ｂ】この考案における支持フレームの連結構造に係る他の実施形態を示した説明図である。
【図８】この考案の他の実施形態を示した斜視図である。
【符号の説明】
【００２９】
１        本体
１１      被覆材
１２      突縁部
１３      上フレーム
２        支持フレーム
２１      管材
３        底板
３１      凹状部
【図１】
0003125141.tif 000003
【図２】
0003125141.tif 000004
【図３】
0003125141.tif 000005
【図４】
0003125141.tif 000006
【図５】
0003125141.tif 000007
【図６】
0003125141.tif 000008
【図７Ａ】
0003125141.tif 000009
【図７Ｂ】
0003125141.tif 000010
【図８】
0003125141.tif 000011